(57)【要約】      （修正有）【課題】ケーブルマウントが治具に適正に装着されたことを電気的手段によって確認可能とするケーブルマウント用治具装置を提供する。【解決手段】ケーブルマウント用治具装置１０は、治具１２を備えており、この治具１２は、ケーブルマウント１６を装着可能に構成されている。ケーブルマウント用治具装置１０は更に、治具１２に取付けられたスイッチ式検出器１４を備えている。このスイッチ式検出器１４から、ケーブルマウント１６が治具１２に適正に装着されたことを示す信号が得られるようにした。【選択図】図１
2005076888.tif 000002
【特許請求の範囲】
【請求項１】
ケーブルマウント用治具装置において、
治具を備え、
前記治具は、ケーブルマウントを装着可能に構成されており、
前記治具に取付けられたスイッチ式検出器を備え、該スイッチ式検出器から、ケーブルマウントが治具に適正に装着されたことを示す信号が得られるようにした、
ことを特徴とするケーブルマウント用治具装置。
【請求項２】
前記スイッチ式検出器が当接ピンを備えており、該当接ピンは前記治具の内部に画成された開口部の中へ突出している請求項１記載のケーブルマウント用治具装置。
【請求項３】
前記ケーブルマウントを前記治具に装着したならば該ケーブルマウントが前記当接ピンに当接するようにしてある請求項２記載のケーブルマウント用治具装置。
【請求項４】
前記当接ピンが絶縁パッドを備えている請求項２記載のケーブルマウント用治具装置。
【請求項５】
前記スイッチ式検出器がプラスチック製のハウジングを備えている請求項１記載のケーブルマウント用治具装置。
【請求項６】
前記スイッチ式検出器が金属製の直角アームを備えており、該金属製の直角アームは、前記プラスチック製のハウジングに連結され、前記当接ピンと当接している請求項５記載のケーブルマウント用治具装置。
【請求項７】
前記スイッチ式検出器がプラスチック製の直角アームを備えており、該プラスチック製の直角アームは、前記プラスチック製のハウジングに連結されており、該プラスチック製の直角アームには金属板が埋め込まれており、該金属板が複数の金属製の電気接点と接触するようにしてある請求項５記載のケーブルマウント用治具装置。
【請求項８】
前記ケーブルマウントが複数のずれ止め突起を備えている請求項１記載のケーブルマウント用治具装置。
【請求項９】
前記治具が金属製である請求項１記載のケーブルマウント用治具装置。
【発明の詳細な説明】
【技術分野】
【０００１】
本発明は、ケーブルマウント用治具装置に関し、より詳しくは、ケーブルマウントが治具に適正に装着されたことを電気的手段によって確認可能とする電気スイッチ式検出器を備えたケーブルマウント用治具装置に関する。
【背景技術】
【０００２】
配線束を１本のケーブルタイを用いてケーブルマウントに締結するということが行われている。このケーブルタイ締結作業は、自動ケーブルタイ締結工具を使用することによって好適に行うことができ、斯かる工具を使用する場合には、ケーブルマウントを治具に装着した状態でケーブルタイ締結作業を行うようにしている。これに関して、例えば、米国特許第5,368,261号公報（Panduit）並びに米国特許第5,799,906号公報（Panduit）には、ケーブルマウントと、ケーブルタイ締結作業を行う際にそのケーブルマウントを装着するためのケーブルマウント用治具とが開示されている。
【特許文献１】米国特許第5,368,261号公報
【特許文献２】米国特許第5,799,906号公報
【発明の開示】
【発明が解決しようとする課題】
【０００３】
しかしながら、上掲の２件の米国特許公報を含めて、従来の技術文献のうちに、ケーブルマウントが治具に適正に装着されたことを電気的手段によって確認可能とする電気スイッチ式検出器を備えたケーブルマウント用治具装置を開示したものはなかった。
【０００４】
従って、ケーブルマウントが治具に適正に装着されたことを作業者に対して示すことができる、電気スイッチ式検出器を備えたケーブルマウント用治具装置を提供することが望まれている。
【課題を解決するための手段】
【０００５】
ここに開示するのは、ケーブルマウント用治具装置である。本発明に係るケーブルマウント用治具装置は、治具を備えており、この治具は、ケーブルマウントを装着可能に構成されている。ケーブルマウント用治具装置は更に、前記治具に取付けられたスイッチ式検出器を備えている。そして、このスイッチ式検出器から、前記ケーブルマウントが前記治具に適正に装着されたことを示す信号が得られるようにしている。
【０００６】
前記スイッチ式検出器が当接ピンを備えており、該当接ピンが前記治具の内部に画成された開口部の中へ突出しているようにすることが好ましい。また、前記当接ピンが絶縁パッドを備えているようにすることが好ましい。そして、前記ケーブルマウントを前記治具に装着したならば該ケーブルマウントが前記当接ピンに当接するようにしておく。
【０００７】
前記スイッチ式検出器が、プラスチック製のハウジングと、このハウジングに連結された金属製の直角アームとを備えているようにすることが好ましい。そして、前記金属製の直角アームが前記当接ピンと当接しているようにするとよい。別法として、前記スイッチ式検出器がプラスチック製の直角アームを備えており、該プラスチック製の直角アームには金属板が埋め込まれており、該金属板が一対の金属製の電気接点間を通電するようにするとよい。
【０００８】
前記ケーブルマウントが、該ケーブルマウントと配線束との間に作用する摩擦力を強化するための複数のずれ止め突起を備えているようにすることが好ましい。それらずれ止め突起によって摩擦力を高めることで、ケーブルマウントに対して配線束がずれて移動するのを抑制することができる。
【０００９】
前記治具、前記当接ピン、前記直角アーム、及び前記電気接点は金属製の部材とすることが好ましい。また、前記ハウジング及び前記絶縁パッドはプラスチック製とすることが好ましい。
【発明を実施するための最良の形態】
【００１０】
以下に説明する本発明の実施の形態は、ケーブルマウントが治具に適正に装着されたことを電気的手段によって確認可能とする電気スイッチ式検出器を備えたケーブルマウント用治具装置である。
【００１１】
図１に示したのは、電気スイッチ式検出器を備えたケーブルマウント用治具装置１０である。図１〜図６に示したように、ケーブルマウント用治具装置１０はベース１１を備えており、このベース１１は、ネジなどの適当な止着具を用いてハーネスボード（不図示）に取付けることができるようにしてある。ベース１１には治具１２が結合されており、この治具１２は、例えば米国特許第5,799,906号公報に開示されている治具と同様のものである。ケーブルマウント用治具装置１０は更に電気スイッチ式検出器１４を備えており、この電気スイッチ式検出器１４は、ネジなどの適当な止着具を用いて治具１２に取付けられている。ケーブルマウント１６は、例えば米国特許第5,368,261号公報に開示されているケーブルマウントと同様のものである。電気スイッチ式検出器１４からは、このケーブルマウント１６が治具１２に適正に装着されたことを作業者に示す信号が得られる。尚、米国特許第5,799,906号公報及び米国特許第5,368,261号公報の開示内容は、以上の言及をもって、本願開示に組込まれたものとする。
【００１２】
図４から明らかなように、電気スイッチ式検出器１４は、ハウジング１７と、当接ピン１８と、枢着点２４を中心として回動する直角アーム２２と、電気接点２６、２８とを備えている。当接ピン１８は、治具１２の一方の側壁部に摺動可能に嵌挿されていて、治具１２の内部に画成された開口部の中へ突出している。当接ピン１８は絶縁パッド２０を備えており、この絶縁パッド２０は当接ピン１８と直角アーム２２との間を絶縁している。直角アーム２２は、枢着点２４においてハウジング１７に連結されており、当接ピン１８と当接している。図４に示した状態では、直角アーム２２と、電気接点２６、２８とで構成される電気回路は開回路状態にある。電気接点２６、２８は、スリーブ２７、２９の中に嵌挿されており、それらスリーブ２７、２９の中には更に、スプリングピン（不図示）が装備されている。
【００１３】
治具１２、当接ピン１８、直角アーム２２、及び電気接点２６、２８は、金属製の部材とすることが好ましい。一方、ハウジング１７及び絶縁パッド２０は、プラスチック製の部材とすることが好ましい。ただし、以上の部材をその他の材料で形成することも可能である。例えば、直角アーム２２を、プラスチック製の部材としてもよい。その場合には、そのプラスチック製の直角アーム２２に金属板を埋め込んで、電気接点２６、２８間で通電できるようにしておく。
【００１４】
以下に使用法について説明する。ケーブルマウント１６を治具１２に装着したならば、図６に示したように、ケーブルマウント１６の一対の脚片の間が開き、このケーブルマウント１６の脚部に形成されている戻り止めのかえし部が当接ピン１８に当接して、この当接ピン１８を金属製の直角アーム２２の方向へ押動し、それによって、枢着点２４を中心として直角アーム２２を回動させる。直角アーム２２の底面の形状は、この底面から金属製の電気接点２６、２８に作用する力の方向が、略々垂直下方となるような形状としてある。そのため、直角アーム２２から電気接点２６、２８へは、横方向の荷重が殆ど作用しないようになっている。直角アームが電気接点２６、２８に接触することによって、それらによって構成される電気回路が閉じた状態になる。電気接点２６、２８は配線を介してコンピュータのＣＰＵなどに接続しておき、そのＣＰＵが、発光ダイオード（ＬＥＤ）を点灯させたり、音響信号を発生させたりすることで、ケーブルマウント１６が治具１２に適正に装着されたことを示すようにすればよい。
【００１５】
図７及び図８に示したのは、別の実施例に係るケーブルマウント１６である。図７及び図８に開示したケーブルマウントは、米国特許第5,368,261号公報に開示されているケーブルマウントと略々同様のものであるが、ただし、ケーブルマウント１６の配線束支持部に、このケーブルマウント１６と配線束との間に作用する摩擦力を強化するための一対のずれ止め突起３０、３２を備えている点が異なっている。ずれ止め突起３０、３２によって摩擦力を高めることで、ケーブルマウント１６に対して配線束がずれて移動するのを抑制することができる。
【００１６】
以上に開示したように、本発明は、ケーブルマウントが治具に適正に装着されたことを作業者にフィードバックして示すことができるようにした、電気スイッチ式検出器を備えたケーブルマウント用治具装置である。尚、図面に示し以上に説明した本発明の実施の形態は、本発明に斯かるケーブルマウント用治具装置が取り得る全ての形態を網羅したものではなく、現時点で好適と考えられている本発明の実施の形態の具体例を例示したにすぎない。従って、本発明は、以上に例示した実施の形態以外の形態で実施することも可能である。
【図面の簡単な説明】
【００１７】
【図１】本発明に係る電気スイッチ式検出器を備えたケーブルマウント用治具装置の斜視図である。
【図２】ケーブルマウントを治具に装着したときの、図１のケーブルマウント用治具装置の正面図である。
【図３】ケーブルマウントを治具に装着していないときの、図１のケーブルマウント用治具装置の平面図である。
【図４】図３の４−４線に沿った断面図である。
【図５】図４の５−５線に沿った断面図である。
【図６】ケーブルマウントを治具に装着した後の、図４と同様の断面図である。
【図７】別の実施例に係るケーブルマウントの拡大斜視図である。
【図８】ケーブルマウントを治具に装着しようとしているときの、図７のケーブルマウントの拡大正面図である。
【符号の説明】
【００１８】
１０  ケーブルマウント用治具装置
１２  治具
１４  電気スイッチ式検出器
１６  ケーブルマウント
１７  ハウジング
１８  当接ピン
２２  直角アーム
２６  電気接点
２８  電気接点
【図１】
2005076888.tif 000003
【図２】
2005076888.tif 000004
【図３】
2005076888.tif 000005
【図４】
2005076888.tif 000006
【図５】
2005076888.tif 000007
【図６】
2005076888.tif 000008
【図７】
2005076888.tif 000009
【図８】
2005076888.tif 000010